(57)【要約】【課題】  円弧状に湾曲したハーフリムの両先端に水糸などの高張力糸の先端を止着し、該ハーフリムと高張力糸にてレンズを保持するナイロール式メガネの提供。【解決手段】  レンズ１の外周の一部には凸部３を突出すると共に、レンズ１の外周の他の一部には凹溝５を形成した形態とし、上記ハーフリム７の内周に形成した凹溝９にレンズ外周に設けた凸部３を嵌め、レンズ外周の凹溝５には高張力糸を嵌めている。【選択図】    図１
2019200335.tif 000002
【特許請求の範囲】
【請求項１】
円弧状に湾曲したハーフリムの両先端に水糸などの高張力糸の先端を止着し、該ハーフリムと高張力糸にてレンズを保持するナイロール式メガネにおいて、上記レンズの外周の一部には凸部を突出すると共に、レンズの外周の他の一部には凹溝を形成した形態とし、上記ハーフリムの内周に形成した凹溝にレンズ外周に設けた凸部を嵌め、レンズ外周の凹溝には高張力糸を嵌めたことを特徴とするナイロール式メガネ。
【請求項２】
円弧状に湾曲したハーフリムの両先端に水糸などの高張力糸の先端を止着し、該ハーフリムと高張力糸にてレンズを保持するナイロール式メガネのレンズにおいて、上記レンズの外周の一部には凸部を突出し、レンズの外周の他の一部には凹溝を形成した形態としたことを特徴とするナイロール式メガネのレンズ。
【発明の詳細な説明】
【技術分野】
【０００１】
本発明はナイロン糸等の高張力糸を備えてレンズを保持することが出来るフレームで、組立てが簡単に出来るように構成しているナイロール式メガネ及びそのレンズに関するものである。
【背景技術】
【０００２】
メガネフレームの一つの型式としてナイロールフレームが多用されている。このナイロールフレームとはナイロン糸（水糸）などの高張力糸にてレンズ半分を保持するフレームであって、例えば図６に示しているような形態を成している。
同図に示すフレームはあくまでも基本形態であり、実際には色々なデザインが施されて構成されることに成るが、円弧状の金属製ハーフリム（イ） の両端に水糸（ロ） の先端を止着し、ハーフリム(イ) と水糸（ロ） によってレンズ(ハ) が保持される。
【０００３】
そして、両ハーフリム(イ) 、(イ) はブリッジ（ニ)にて連結され、ハーフリム（イ）、（イ）の外側にはヨロイ(ホ) 、(ホ) が取付けられている。ツル（ヘ）、（ヘ）はこのヨロイ（ホ）、（ホ）に蝶番（ト）、（ト）を介して折り畳み出来るように取付けられている。
【０００４】
このナイロールフレームはハーフリム（イ）と水糸（ロ）にてレンズ（ハ）を保持しているために、リング状のフルリムを備えたメガネフレームより重量は軽くなり、特にフロント部が軽くなることで長時間にわたってメガネを掛けていても疲れが少ない。
また、レンズ（ハ）の下側半分が水糸（ロ）である為に視界は広くなるといった利点もある。
【０００５】
ところで、レンズ（ハ）はハーフリム（イ）と水糸（ロ）にて拘束されるが、そのためにレンズ（ハ）の外周には水糸（ロ）が嵌る凹溝が全周にわたって設けられている。
図７は前記図６のＡ−Ａ断面拡大図であり、レンズ（ハ）の外周に設けた凹溝（チ）には水糸（ロ）が嵌っている。そして、該水糸（ロ）の両先端はハーフリム（イ）の先端に形成している穴に挿通して抜けないように止着されている。一般には近接して設けた２個の穴を挿通することで、水糸（ロ）は抜けないように止着される。
【０００６】
また、図８は図６のＢ−Ｂ断面拡大図を示している。このように、レンズ（ハ）は概略瓢箪形（ダルマ形）断面をした水糸（リ）を介してハーフリム（イ）に止着されている。すなわち、ハーフリム（イ）の内周には凹溝（ヌ）が設けられ、レンズ（ハ）の外周には凹溝（チ）が設けられ、上記瓢箪形断面の水糸（リ）はハーフリム（イ）の凹溝（ヌ）とレンズ（ハ）の凹溝（チ）に、それぞれ半分づつ嵌っている。
【０００７】
ところで、本発明のナイロールフレームを組み立てる場合、上記ハーフリム（イ）の内周に形成されている凹溝（ヌ）に水糸（リ）を嵌めなくてはならない。この際、ハーフリム（イ）の先端から凹溝（ヌ）に挿通されるが、該凹溝（ヌ）に簡単に挿通することが出来ない。
すなわち、ハーフリム（イ）はストレートな状態で凹溝（ヌ）が加工されており、該凹溝（ヌ）が形成されている状態のストレートなリム線材を円弧状に曲げ成形する場合、該凹溝（ヌ）の断面形状が崩れてしまう。
【０００８】
特に、曲げ加工に際してハーフリム（イ）の内周側には圧縮歪みが発生することで、凹溝（ヌ）の幅寸法は縮んでしまい、そのために該凹溝（ヌ）に水糸（リ）を挿通することが出来なくなる。
水糸を用いて構成したナイロール式メガネとしては従来から色々知られている。例えば、特開２０００−２４１７７１号に係る「ナイロールフレーム」は、眼鏡レンズを保持するバンドに強度、耐久性の優れた超弾性の形状記憶合金を使用し、眼鏡レンズの張着に最適な半永久的な伸縮性を有する０．１〜０．５ミリメートル程の極細ワイヤーにして、眼鏡レンズの落下を確実に阻止することができるようにしている。
【０００９】
特開２０１２−６８４７７号に係る「眼鏡フレーム」は、レンズと枠との接合部の長さを短くすることにより、相対的な精密加工の作業量を低減し、レンズの取り付け作業を容易にすると共に、多彩なデザインを施すことができる眼鏡フレームである。
フロント部と、フロント部の両端部に蝶番を介して連結される一対のテンプルと、一対のレンズを備えてフロント部の裏側に取り付けられる枠体とを備え、枠体におけるレンズの取り付け方法をナイロール式としている。
【特許文献１】特開２０００−２４１７７１号に係る「ナイロールフレーム」
【特許文献２】特開２０１２−６８４７７号に係る「眼鏡フレーム」
【発明の開示】
【発明が解決しようとする課題】
【００１０】
このように、水糸にてレンズを保持するナイロールフレームに関しては従来から色々知られているが、従来のナイロールフレーム上記のごとき問題がある。
本発明が解決しようとする課題はこの問題点であり、ハーフリムの内周に形成した凹溝に水糸を挿通する煩わしさを必要としないナイロール式メガネ及びそのレンズを提供する。
【課題を解決するための手段】
【００１１】
本発明のナイロール式メガネは半円弧状をしたハーフリムとナイロン糸などの高張力糸を備え、レンズは該ハーフリムと高張力糸によって保持され、基本的な構造は従来のナイロール式メガネと共通している。
ところで、本発明ではレンズの約半周はハーフリムに止着されるが、従来のように概略瓢箪形断面の高張力糸ではなく、レンズ外周に突出して設けた凸部がハーフリム内周に形成した凹溝に嵌入することが出来る。
【００１２】
そして、残りの半周は高張力糸を介して保持するために、レンズ外周の一部には凹溝が沿設され、高張力糸は凹溝に嵌ると共に両先端はハーフリムの先端に止着される。
すなわち、レンズはその約半周に凸部が突出しており、残りの約半周には凹溝を形成している。ここで、レンズに形成される凸部と凹溝の領域に関しては、一般に概略１／２づつであるが、厳密に限定するものではない。
【発明の効果】
【００１３】
本発明に係るナイロール式メガネは、ハーフリムと高張力糸の組み合わせでレンズが保持され、そのために従来のナイロール式メガネに備わっている一般的な効果（軽さと視界の良さ）を有している。そして、ハーフリムの内周には凹溝が沿設されているが、この凹溝には概略瓢箪形断面の高張力糸ではなく、レンズ外周に突出して設けた凸部が嵌入することが出来る。
【００１４】
したがって、ハーフリム内周の凹溝に高張力糸を挿通する必要がなく、ハーフリムを曲げ成形する際に凹溝の断面形状及び溝幅寸法が多少変化してもレンズに設けた凸部は凹溝に簡単に嵌めることが可能である。そのために、ナイロール式メガネの組み立て作業に際して、ハーフリム内周の凹溝への高張力糸の挿通作業が省かれることで組立作業性は大きく向上する。
【図面の簡単な説明】
【００１５】
【図１】本発明に係るナイロール式メガネを構成するレンズ。
【図２】図１のＣ−Ｃ断面拡大図。
【図３】図１のＤ−Ｄ断面拡大図。
【図４】レンズ外周に突出して設けた凸部がハーフリムの凹溝に嵌っている断面拡大図。
【図５】レンズ外周に形成した凹溝に水糸が嵌っている断面拡大図。
【図６】従来の一般的なナイロール式メガネの具体例。
【図７】図６のＡ−Ａ断面拡大図。
【図８】図６のＢ−Ｂ断面拡大図。
【発明を実施するための形態】
【００１６】
本発明に係るナイロール式メガネの外観は前記図６に示すものと共通していて、レンズはハーフリムと高張力糸である水糸にて保持される。
図１は本発明のナイロール式メガネを構成するレンズ１を表している具体例である。レンズ１の外形は特に限定しないが、該レンズ１の上縁２には凸部３が沿設され、下縁４には凹溝５が形成されている。
【００１７】
図２は図１のＣ−Ｃ断面拡大図を表しているように、レンズ外周６には上記凸部３が突出している。ここで、凸部３の断面は概略三角形としているが、この形状に限定はしないことにする。例えば、概略半円形断面としてもよい。
図３は図１のＤ−Ｄ断面拡大図であり、レンズ１の外周６には凹溝５を形成している。同図に示す凹溝５は半円形の断面としているが、この形状に限定はしない。例えば、四角形断面又は台形断面とすることも可能である。
【００１８】
図４はハーフリム７にレンズ外周に形成した凸部３が嵌合している状態の断面拡大図を示している。この状態はレンズがフルリムに嵌っている場合の断面と同じである。ハーフリム７の内周には凹溝８が形成され、この凹溝８にレンズ外周６に突出した凸部３が嵌合している。
勿論、この凹溝８にしてもストレートのリム線材を曲げ成形する際にその断面形状及び横幅寸法は多少変化するが、該凸部３は凹溝８に簡単に嵌合してレンズ１の上縁２は止着される。
【００１９】
図５はレンズ１の下縁４の外周に設けた凹溝５に高張力糸である水糸９が嵌っている状態の断面拡大図を示している。すなわち、レンズ１の下縁４は水糸９が凹溝５に嵌って保持している。水糸９の両先端はハーフリム７の先端に近接して設けた２個の穴に挿通して係止することで止着されている。勿論、該水糸９の止着手段は限定しない。水糸９の先端を溶融してボールを形成する場合もある。
【００２０】
実施例ではレンズ１の上縁２に凸部３を形成し、下縁４に凹溝５を設けているが、これとは逆に上縁２に水糸９が嵌る凹溝５を設け、下縁４にハーフリム７の凹溝８に嵌る凸部３を形成することも可能である。すなわち、レンズ１の下縁４をハーフリム７にて保持し、レンズ上縁２を水糸９にて止着することも出来る。
【符号の説明】
【００２１】
１   レンズ
２   上縁
３   凸部
４   下縁
５   凹溝
６   外周
７   ハーフリム
８   凹溝
９   水糸
【図１】
2019200335.tif 000003
【図２】
2019200335.tif 000004
【図３】
2019200335.tif 000005
【図４】
2019200335.tif 000006
【図５】
2019200335.tif 000007
【図６】
2019200335.tif 000008
【図７】
2019200335.tif 000009
【図８】
2019200335.tif 000010